(57)【特許請求の範囲】
【請求項１】
防水パンの所要箇所に開設した縦通口の周縁部下面に補強材を固設し、この補強材の下面側に調高用軸心螺孔の縦設されたボルト螺貫用具を固設し、当該ボルト螺貫用具の調高用軸心螺孔には、これに螺貫して下端部が床面に載置された調高ボルトを、前記縦通口からの螺回操作によって昇降動自在とし、ボルト弛緩防止用具の緩止用軸心螺孔を、前記の調高ボルトに螺嵌締着することにより、当該ボルト弛緩防止用具の軸心と直交する外周縁部を、防水パンの上面に対して水密に圧着すると共に、当該外周縁部はビスにより防水パンを介して補強材に固定し、上記ボルト弛緩防止用具には、そのキャップ用螺子部にキャップの螺合部を螺着することにより、上記ボルト弛緩防止用具に対して水密に、当該キャップが被嵌されるようにしたことを特徴とする浴室用ユニットバスにおける防水パンのレベル調整装置。
【請求項２】
防水パンの所要箇所に開設した縦通口の周縁部下面に補強材を固設し、この補強材の下面側に調高用軸心螺孔の縦設されたボルト螺貫用具を固設し、当該ボルト螺貫用具の調高用軸心螺孔には、これに螺貫して下端部に形成した下突曲面が床面に載装当接された調高ボルトを、前記縦通口からの螺回操作によって昇降動自在とし、ボルト弛緩防止用具の緩止用軸心螺孔を、前記の調高ボルトに螺嵌締着することにより、当該ボルト弛緩防止用具の軸心と直交する外周縁部を、防水パンの上面に対してパッキンの介装により水密に圧着すると共に、当該外周縁部はビスにより防水パンを介して補強材に固定し、上記ボルト弛緩防止用具には、そのキャップ用螺子部にキャップの螺合部を螺着することにより、上記ボルト弛緩防止用具に対してパッキンの介装により水密に、当該キャップが被嵌されるようにしたことを特徴とする浴室用ユニットバスにおける防水パンのレベル調整装置。
【請求項３】
防水パンの所要箇所に開設した縦通口の周縁部下面に補強材を固設し、この補強材の下面側に調高用軸心螺孔を縦設したボルト螺貫用具を固定し、当該ボルト螺貫用具の調高用軸心螺孔には、これに螺貫して下端部が床面に載置された調高ボルトを、前記縦通口からの螺回操作によって昇降動自在とし、ボルト弛緩防止用具の緩止用軸心螺孔を、前記の調高ボルトに螺嵌締着することにより、当該ボルト弛緩防止用具の軸心と直交する外周縁部を、防水パンの上面に対して水密に圧着し、かつ、当該外周縁部はビスにより防水パンを介して補強材に固定すると共に、この外周縁部には、ボルト弛緩防止用具を回動用具により螺回締着するための回動用係止部を形成し、このボルト弛緩防止用具には、そのキャップ用螺子部にキャップの螺合部を螺着することにより、上記ボルト弛緩防止用具に対して水密に、当該キャップが被嵌されるようにしたことを特徴とする浴室用ユニットバスにおける防水パンのレベル調整装置。
【発明の詳細な説明】
【０００１】
【発明の属する技術分野】
本発明は、浴室用ユニットバスの床面に載設される防止パンにあって、その高さや傾きなどを調整するのに用いて好適なレベル調整装置に関する。
【０００２】
【従来の技術】
既に、浴室用ユニットバスにおける防水パンのレベル調整装置としては、図３に例示する如く浴槽載置部ａと、洗い場ｂとを備えた防水パンｃの下部に、ナットｄが溶着手段などで固着された取着金具ｅを固設し、この防水パンｃの高さを可変とするため、上記ナットｄに、頭部ｆ′を下位としたレベル調整ボルトｆが螺合されるよう構成したものが知られている。
【０００３】
【発明が解決しようとする課題】
しかし、上記従来のレベル調整装置によるときは、防水パンｃの設置施工に際し、これを持ち上げるとか、その下に作業者が潜り込んだり、さらには図３（Ｂ）に明示の如く、浴槽載置部ａの点検口ｇから防水パンｃの下まで手を差し入れるなどして、レベル調整ボルトｆを、図３（Ａ）の如くモンキーレンチｈなどの使用により螺回しなければならず、さらに同じ作業条件下にあって、図３（Ａ）のように回り止めナットｉをも締着しなければならないから、当該レベル調整のための作業性が極めて悪く、かつ、大変な労力を費やさねばならなかった。
【０００４】
本発明は上記従来技術の難点を解消しようとするものであって、請求項１に係るレベル調整装置によるときは、防水パンに開設した縦通口の周縁部下面にあって補強材を取着し、さらに、その下側に固設したボルト螺貫用具の調高用軸心螺孔には、調高ボルトを螺合の状態として床面に載置し、防水パン上から作業者が上記調高ボルトを螺回することで、レベル調高作業を迅速かつ容易に行い得るようにすると共に、この調高ボルトに、これまた縦通口からボルト弛緩防止用具の緩止用軸心螺孔を螺着することで、調高済の調高ボルトが不本意に回動してしまうことをも防止可能とし、さらに、このボルト弛緩防止用具を利用することで、これにキャップを螺合することにより、縦通口から床面側への漏水を阻止し、かつ、外観をも良好に仕上げ得るようにするのが、その目的である。
【０００５】
次に、請求項２に係るレベル調整装置によるときは、上記請求項１の構成に加えて、防水パンとボルト弛緩防止用具との間にパッキンを、そして当該ボルト弛緩防止用具とキャップとの間にもパッキンを介装することにより、防水パンから床面への水漏れを完全に防止しようとしている。そして、さらに調高ボルトの下端部には、床面と押接する下突曲面を形成することによって、当該調高ボルトの螺回操作による調高作業を行い易くし、このことで、調高作業を軽い回動力により円滑に行い得るようにし、さらに、防水パンに加えられる外力などによって、調高ボルトに対して床面を介して加えられる回転力により、不本意に当該調高ボルトが逆螺回して弛緩してしまうといったことのないようにし、もって、調高ボルトの長期にわたるレベル変動のない安定性を保証しようとしている。
【０００６】
さらに、請求項３の場合には、請求項１につき上記した構成において、そのボルト弛緩防止用具の外周縁部に、突起部、凹溝、そして角とり部などとを設けることで、これを回動用係止部となし、これを利用することで、任意の回動用具により充分な力でボルト弛緩防止用具を強力に、螺装締着可能なるよう構成している。そして、当該強力な締着によって、調高ボルトとボルト螺貫用具との間にあって、充分な回転阻止力を発揮させ、もって、長期にわたり調高ボルトの調高用軸心螺孔に対する螺着効果を確保させ得るようにしている。
【０００７】
【課題を解決するための手段】
本発明は、上記の目的を達成するため、請求項１の発明にあっては、防水パンの所要箇所に開設した縦通口の周縁部下面に補強材を固設し、この補強材の下面側に調高用軸心螺孔の縦設されたボルト螺貫用具を固設し、当該ボルト螺貫用具の調高用軸心螺孔には、これに螺貫して下端部が床面に載置された調高ボルトを、前記縦通口からの螺回操作によって昇降動自在とし、ボルト弛緩防止用具の緩止用軸心螺孔を、前記の調高ボルトに螺嵌締着することにより、当該ボルト弛緩防止用具の軸心と直交する外周縁部を、防水パンの上面に対して水密に圧着すると共に、当該外周縁部はビスにより防水パンを介して補強材に固定し、上記ボルト弛緩防止用具には、そのキャップ用螺子部にキャップの螺合部を螺着することにより、上記ボルト弛緩防止用具に対して水密に、当該キャップが被嵌されるようにしたことを特徴とする浴室用ユニットバスにおける防水パンのレベル調整装置を提供しようとしている。
【０００８】
次に請求項２にあっては、請求項１における調高ボルトが、その下端部にあって下突曲面を形成するようにし、当該下突曲面が床面に押接されているだけでなく、ボルト弛緩防止用具の軸心と直交する外周縁部を、防水パンの上面に対してパッキンの介装により水密に圧着すると共に、ボルト弛緩防止用具に対してパッキンの介装により水密に、キャップが被嵌されるようにしたことを、その内容としている。
【０００９】
さらに請求項３の場合には、請求項１の構成に対して、前記ボルト弛緩防止用具にあって、回動用具により、これを螺回締着するため用いられる回動用係止部が、付加形成されるようにしたことを、その特徴としている。
【００１０】
【発明の実施の形態】
本発明に係る防水パンのレベル調整装置につき、図１と図２によって、これを詳記すると、防水パン１の所要箇所、例えば四つの角隅部分などに縦通口２を開設し、その周縁部下面１ａには、木材その他の人工材等によって形成した補強材３を、接着材などによって固設するから、もちろん当該補強材３には、縦通口２と連通する連通口３ａが縦設されることになる。この際、図示例では強度とか水捌けなどを考慮して、縦通口２の周縁部にあって、上方へ突出した隆起口縁部１ｂが設けられ、当該隆起口縁部１ｂの下面に角縁部１ｃが周設され、当該角縁部１ｃに補強材３のコーナ部３ｂが係嵌されている。
【００１１】
次に、上記補強材３の下面側には、金属とか合成樹脂により形成したボルト螺貫用具４が固設され、図示例では、筒状部４ａの上端から外側へ直交状に曲設された取付周縁部４ｂが、補強材３に押当されて、取付ビス４ｃにより固定されるようにしてあり、当該筒状部４ａに連装下突された肉厚小径部４ｄには、調高用軸心螺孔４ｅが縦装貫設されている。
【００１２】
さらに、上記ボルト螺貫用具４の調高用軸心螺孔４ｅには、別途用意した調高ボルト５を螺合貫装することができ、当該調高ボルト５には、全長にわたり螺部を刻設するか、図示の如く上位の螺部５ａと下位の螺部５ｂとを刻設し、当該下位の螺部５ｂを、上記の調高用軸心螺孔４ｅに螺合する。そして、当該調高ボルト５の下端部５ｃには、仮想線で示されているような平板部５ｄを膨設して、その下端平面５ｅを床面Ｆに載置してもよいが、図１の実線で示されているように下端部５ｃに円弧面などによる下突曲面５ｆを形成し、これを床面Ｆに載置するようにすれば、調高ボルト５の上端に形成した凹溝等による回動操作部５ｇによって、前記縦通口２から挿入したドライバーなどにより回動操作した場合、床面Ｆに対して調高ボルト５が、少ない抵抗により回動でき、調高作業がし易いことになる。
【００１３】
上記のようにして調高ボルト５を、ボルト螺貫用具４に対して適宜の螺合進度まで螺回させたならば、当該防水パン１を床面Ｆ上に載置し、この段階で上記の防水パン１上における作業員のレベル調整作業がなされることとなるが、これによる調高ボルト５の昇降動によって、満足すべき調高が完了されたならば、本発明にあって別途用意されたボルト弛緩防止用具６を手動等により螺回することで、その緩止用軸心螺孔６ａを、上記の調高ボルト５における上位の螺部５ａに螺嵌する。
【００１４】
ここで、上記ボルト弛緩防止用具６として例示のものは、図１および図２に明示の通り、円筒部６ｂとその外周部から直交状にて延設したリング様の外周縁部６ｃとからなり、円筒部６ｂの下端側には、前記の緩止用軸心螺孔６ａが刻設されていると共に、上記外周縁部６ｃの上位側には、キャップ用螺子部６ｄが刻設されている。
【００１５】
さらに、上記外周縁部６ｃには、ビス７を挿入するビス止め用通孔６ｅが、図示例では一対だけ穿設されていると共に、このボルト弛緩防止用具６を後述のように、ペンチその他の回動用具によって螺回し締着しようとする際、そのために使用される回動用係止具６ｆが設けられている。図示の回動用係止具６ｆは、外周縁部６ｃの上面から一対の起立片を突設したもので、この場合には当該両起立片の外側面をペンチにより挟むことで、上記の螺回締着の操作を行うことになる。
しかし、もちろん、このような起立片に限ることなく、外周縁部６ｃの外周端縁を角形に形成したり、一対の凹溝を外周縁部６ｃに設けるなどして回動用係止具６ｆを形成することができる。
【００１６】
従って、上記のボルト弛緩防止用具６を、前記の通り調高ボルト５における上位の螺部６ａに螺回締着するには、先ず手動にてある程度まで螺入した後、上記の如く回動用具により回動用係止具６ｆを利用して、外周縁部６ｃを防水パン１の隆起口縁部１ｂに対して圧着状態となるまで螺回締着することになるが、この際、隆起口縁部１ｂと外周縁部６ｃとが水密状態となるようにする。
このため図示の実施例では、単に両者を圧着するというのではなく、外周縁部６ｃに外側下端突周縁６ｇを形成して、その内側にパッキン６ｈを敷設するようにしてある。
【００１７】
このようにして、水密状態となるようボルト弛緩防止用具６の締着が完了すれば、これにより調高ボルト５は、当該締着時に上向きの引張り力を受けるので、ボルト螺貫用具４の調高用軸心螺孔４ｅに対して、調高ボルト５における下位の螺部５ｂが強圧状態となり、当該調高ボルトは回り止めの状態となる。
【００１８】
本発明では、さらに上記のボルト弛緩防止用具６の締着状態が不本意に弛緩してしまうことを阻止するため、前記した外周縁部６ｃのビス止め用通孔６ｅを利用することで、ビス７を防水パン１から補強材３に達するよう螺着し、これにより、ボルト弛緩防止用具６の弛緩方向への回動が生じないようにしている。
【００１９】
さらに、本発明ではキャップ８なる部材が用いられており、これには上記ボルト弛緩防止用具６のキャップ用螺子部６ｄに螺着可能な螺合部８ａが刻設されている。図示のキャップ８は回動用凹溝８ｂを有する天板部８ｃと、その外周縁から下向きに周設した外周側板部８ｄと、これと同心円状にて天板部８ｃから下向きに周設の内周側板部８ｅとを具備している。そして、上記の螺合部８ａは、この内周側板部８ｅの内側に雌螺子として刻設されているが、もちろん、当該螺合部８ａとキャップ用螺子部６ｄの雌雄関係は逆であっても支障はない。
【００２０】
上記キャップ８は、ボルト弛緩防止用具６に対して、上記の螺着により水密状態が確保されるように、充分な螺回締着が必要であるが、図１の実施例ではパッキン９が用いられており、かつ、当該パッキン９は、ボルト弛緩防止用具６の円筒部６ｂにおける上端縁とキャップ８の天井部８ｃにおける下面との間にあって、挟着され、この際図示例では当該螺着時に、内周側板部８ｅが外周縁部６ｃに押当し、外周側板部８ｄが外周縁部６ｃに被装される構成としてある。
【００２１】
従って、請求項１に係る実施例によるときは、防水パン１上から作業員が調高ボルト５を螺回して、これをボルト螺嵌用具４の下位の螺部５ｂに対して昇降動させることができるから、容易に防水パン１のレベル調整が実施でき、さらに、これまた防水パン１上から、ボルト弛緩防止用具６を、調高ボルト５における上位の螺部５に螺合締着し、かつ、ビス７により外周縁部６ｃを補強材３まで螺止して、水密状態に固定してしまえば、調高ボルト５はボルト螺貫用具４の調高用軸心螺孔４ｅに対し回り止めの状態が確保されると共に、防水パン１側からの水が、ボルト弛緩防止用具６と防水パン１との間から流入して床面Ｆへ漏水することもない。
【００２２】
さらに、ボルト弛緩防止用具６のキャップ用螺子部６ｄに、キャップ８をその螺合部８ａにより水密状態にて螺嵌する構成であるから、外観を害することなく、しかも、キャップ８とボルト弛緩防止用具６との間からの漏水も阻止される。
【００２３】
請求項２にあっては、上記請求項１の構成に加えて調高ボルト５の下端部５ｃに、下突曲面５ｆを形成するようにしてあるので、前記調高ボルト５の螺回操作による調高作業が円滑かつ、容易になし得ると共に、パッキン６ｈ、９によって両所の水密性が確保されているので、漏水に対する信頼性も高いものとなる。
【００２４】
さらに請求項３では、請求項１の構成に加えてボルト弛緩防止用具６の外周縁部６ｃに回動用係止具６ｆを形成してあるから、ボルト弛緩防止用具６の螺回が手動だけでなく、適宜の回動用具を使って強力に締着可能な螺回が実施でき、このため調高ボルト５の弛緩阻止に対する信頼性を、より向上できることになる。
【００２５】
【発明の効果】
本発明は以上のように構成されるものであるから、請求項１によるときは、防水パン上からの作業で調高ボルトの螺回によるレベル調整作業を行うことができ、防水パンの下に潜ったり点検口から手を差し入れての作業をしないですむことになるから、労力を軽減し、かつ作業時間をも大幅に短縮することができる。
【００２６】
しかも、これまた防水パン上から、ボルト弛緩防止用具を調高ボルトに水密状態となるよう螺着することで、水漏れの心配なしに、調高ボルトの不本意な弛緩を防止でき、長期にわたり望ましい調高状態を保持することが可能となる。また、床面の変動などにより防水パンのレベルに変調が生じても、簡易な操作で、その是正を行うこともでき、またキャップをボルト弛緩防止用具に対し水密に螺着してあるため、当該両者からの漏水もなく、かつ外観上も望ましい結果が得られる。
【００２７】
さらに、請求項２では調高ボルトの下端部に下突曲面を形成したので、調高ボルトの螺回によるレベル調整が容易に、しかも迅速になし得ることとなり、また、前記水密状態の確保にパッキンを用いてあるため、その信頼性をより一層向上させることができる。そして請求項３では、ボルト弛緩防止用具に回動用係止部を具備させたので、ボルト弛緩防止用具の強力な螺回締着が可能となって、水密性を向上できると共に、調高ボルトの不本意な弛緩を充分に阻止して、レベル変動防止に対する信頼性を、一段と向上させることができる。
【図面の簡単な説明】
【図１】本発明に係る防水パンのレベル調整装置につき、その一実施例を示した縦断正面図である。
【図２】本発明の構成部材であるボルト弛緩防止用具を示し、（Ａ）はその平面図、（Ｂ）は（Ａ）のＢ−Ｂ線矢視断面図である。
【図３】従来の浴室用ユニットバスにおける防水パンのレベル調整装置を示し、（Ａ）はその一部拡大側面図で、（Ｂ）はその全体を示す斜視図である。
【符号の説明】
１    防水パン
１ａ  周縁部下面
２    縦通口
３    補強材
４    ボルト螺貫用具
４ｅ  調高用軸心螺孔
５    調高ボルト
５ｃ  下端部
５ｆ  下突曲面
６    ボルト弛緩防止用具
６ａ  緩止用軸心螺孔
６ｃ  外周縁部
６ｄ  キャップ用螺子部
６ｆ  回動用係止部
６ｈ  パッキン
７    ビス
８    キャップ
８ａ  螺合部
９    パッキン
Ｆ    床面
【図１】
0003541102.tif 000002
【図２】
0003541102.tif 000003
【図３】
0003541102.tif 000004